(57)【要約】【目的】  トイレ使用時に立った状態でも座った状態でも出力を極力一定にして、エネルギー費をより効果的に抑えることのできるトイレ内空調装置を提供する。【構成】  トイレルーム（１）内上部に空調ユニット（２）を設け、その送風口（２１）をトイレ使用者（４）の近くまで引き寄せ可能とする。【選択図】図１
2005180832.tif 000002
【特許請求の範囲】
【請求項１】
トイレルーム内上部に空調ユニットが設けられ、その送風口をトイレ使用者の近くまで引き寄せ可能となっていることを特徴とするトイレ内空調装置。
【請求項２】
トイレルーム内上部に空調ユニットが収納される収納部が設けられ、当該収納部から空調ユニットを引き出すことで送風口をトイレ使用者の近くまで引き寄せ可能となっていることを特徴とする請求項１記載のトイレ内空調装置。
【請求項３】
前記収納部に、トイレルーム内の換気とともに空調ユニットの排熱にも用いられる換気扇が設けられていることを特徴とする請求項２記載のトイレ内空調装置。
【請求項４】
前記空調ユニットが蓄冷式であり、不使用時に蓄冷部に対し冷却手段によって熱エネルギーを充填し、使用時に蓄冷部を介して送風ファンのみを動作させることを特徴とする請求項１ないし３のいずれかに記載のトイレ内空調装置。
【請求項５】
前記空調ユニットが蓄熱式であり、不使用時に蓄熱部に対し加熱手段によって熱エネルギーを充填し、使用時に蓄熱部を介して送風ファンのみを動作させることを特徴とする請求項１ないし３のいずれかに記載のトイレ内空調装置。
【発明の詳細な説明】
【技術分野】
【０００１】
この出願の発明は、トイレルーム内の冷暖房を行うクーラーなどのトイレ内空調装置に関するものである。
【背景技術】
【０００２】
従来、トイレ内空調装置としては、トイレルーム全体の空調を行うものと、人体にスポット的に風を吹きつけるもの（たとえば特許文献１参照）とが知られている。
【０００３】
前者については、室温検知して設定温度に維持することで快適な空間を提供するものである。排熱は屋外に配した室外機にて行うことがしばしばである。
【０００４】
後者については、温度制御は行わず、空調能力に応じて空調空気を直接人体に浴びせることで空調感を与えようとするもので、たとえば冷房時には冷風を人体に浴びせて涼感を与えさせる。排熱は便器洗浄用のタンク内の水にて行うことがしばしばである。
【特許文献１】特開２００１−３０４６５４号公報
【発明の開示】
【発明が解決しようとする課題】
【０００５】
しかしながら、上記前者のトイレ内空調装置では、室外機との接続に壁を貫通する施工が必要とされ、またトイレルーム全体を空調するため大きな出力が必要とされており、施工費、エネルギー費とも大きくなっていた。
【０００６】
上記後者のトイレ内空調装置では、スポット的に空調するためエネルギー費は小さく抑えられるが、使用者との距離が遠くなれば相当の出力が必要とされる。たとえば図４（ａ）（ｂ）に例示したようにトイレ使用時に立っているときは送風口（ア）が近く、座っているときは遠くなり、その差を埋めるために出力を上げねばならない。また排熱の面でタンクのため水を利用する場合、装置の設置位置が便器後部に限定され、空調感を効果的に得られる顔面に向けての送風が困難であった。
【０００７】
そこで、以上のとおりの事情に鑑み、この出願の発明は、トイレ使用時に立った状態でも座った状態でも出力を極力一定にして、エネルギー費をより効果的に抑えることのできるトイレ内空調装置を提供することを課題としている。
【課題を解決するための手段】
【０００８】
この出願の発明は、上記の課題を解決するものとして、第１には、トイレルーム内上部に空調ユニットが設けられ、その送風口をトイレ使用者の近くまで引き寄せ可能となっていることを特徴とするトイレ内空調装置を提供する。
【０００９】
第２には、トイレルーム内上部に空調ユニットが収納される収納部が設けられ、当該収納部から空調ユニットを引き出すことで送風口をトイレ使用者の近くまで引き寄せ可能となっていることを特徴とする前記トイレ内空調装置を提供する。
【００１０】
第３には、前記収納部に、トイレルーム内の換気とともに空調ユニットの排熱にも用いられる換気扇が設けられていることを特徴とする前記トイレ内空調装置を提供する。
【００１１】
第４には、前記空調ユニットが蓄冷式であり、不使用時に蓄冷部に対し冷却手段によって熱エネルギーを充填し、使用時に蓄冷部を介して送風ファンのみを動作させることを特徴とする前記トイレ内空調装置を提供する。
【００１２】
第５には、前記空調ユニットが蓄熱式であり、不使用時に蓄熱部に対し加熱手段によって熱エネルギーを充填し、使用時に蓄熱部を介して送風ファンのみを動作させることを特徴とする前記トイレ内空調装置を提供する。
【発明の効果】
【００１３】
上記第１のトイレ内空調装置によれば、空調ユニットの送風口を引き寄せることでトイレ使用時に座った状態であっても、立った状態と同様程度の送風を受けることができ、よって出力を最小限に抑えて、優れた空調効果対エネルギーコストを実現することができる。
【００１４】
上記第２のトイレ内空調装置によれば、上記第１の装置と同様な効果が得られ、また、空調ユニットごと収納部から引き出すことで、容易に送風口を近づけることができ、たとえば立ち使用時には収納状態での空調、座り使用時には引出状態での空調をより容易に使い分けることができる。
【００１５】
上記第３のトイレ内空調装置によれば、上記第２の装置と同様な効果が得られ、また、換気扇のみで換気且つ排熱が可能となり、別途の排熱用ファンを設ける必要がなく、小型化且つ低コスト化を実現することができる。
【００１６】
上記第４のトイレ内空調装置によれば、上記第１〜第３の装置と同様な効果が得られ、また、蓄冷式による即効性、静寂性に優れたスポット空調に特に効果的な冷房空調を実現することができる。
【００１７】
上記第５のトイレ内空調装置によれば、上記第１〜第３の装置と同様な効果が得られ、また、蓄熱式による即効性、静寂性に優れたスポット空調に特に効果的な暖房空調を実現することができる。
【発明を実施するための最良の形態】
【００１８】
図１（ａ）（ｂ）は、各々、上記のとおりの特徴を有するこの出願の発明の一実施形態を示したものである。
【００１９】
この図１（ａ）（ｂ）の実施形態では、トイレルーム（１）内上部における天井（１１）と壁（１２）とのコーナー部分にて、収納部（３）とそれに収納された空調ユニット（２）とが設けられており、空調ユニット（２）を収納部（３）から引き出すことで、送風口（２１）（吹出し口とも呼べる）をトイレ使用者（４）の近くまで引き寄せ可能となっている。
【００２０】
より具体的には、空調ユニット（２）は、トイレ使用者（４）が立ってトイレ（５）を使用する際には、収納部（３）に収納された状態とされ、収納状態のまま空調空気を送風口（２１）からトイレ使用者（４）に向けて送風し、トイレ使用者（４）が座ってトイレ（５）を使用する際には、収納部（３）からトイレ使用者（４）の人体の近くまで斜め前下方に引き下ろされた状態とされ、その状態で空調空気を送風口（２１）から送風できるようになっている。
【００２１】
これにより、立っても座っても、ほぼ同じ距離をトイレ使用者（４）と送風口（２１）との間に確保して、ほぼ同じ程度のスポット的な空調をトイレ使用者（４）に対して与えることができる。したがって、座り使用時の出力を立ち使用時程度に抑えて、極力安定した出力の維持を図ることができ、もちろんトイレ使用者（４）はいつでも同程度の涼しさや暖かさを感じられるのである。
【００２２】
なお、上記のような空調ユニット（２）の可動構造については、たとえば上下前後スライド機構やリンク機構を用いるなど様々な機構、構造を考慮できるが、上記動作が可能となればよいので、特に限定されない。また、手動、自動のいずれでも良いことは言うまでもなく、自動の場合では、たとえば便座などの適宜位置に設けられたスイッチやセンサ等と連動するようにしてもよい。
【００２３】
引出し距離Ａ（図１（ａ）参照）については、たとえば一例として５０ｃｍ程度を考慮できるが、トイレルーム（１）やトイレ（５）の寸法、対象とする平均身長等に従って適宜設定したものとすればよい。
【００２４】
またもちろん、送風口（２１）については、風向調整できるルーバー（２１１）（図２参照）が備え付けられていてもよく、手動や自動で調整可能とすれば、トイレ使用者（４）各人の身長や座高、使用姿勢などに簡単に対応できる。
【００２５】
ところで、上述したとおりのこの出願の発明のトイレ内空調装置では、たとえば図２に示したように、収納部（３）に、トイレルーム（１）内の換気とともに空調ユニット（２）の排熱にも用いられる換気扇（６）を設けてもよい。
【００２６】
この場合さらに説明すると、図２は収納部（３）収納状態の空調ユニット（２）の内部構造と換気扇（６）とを拡大例示しており、換気扇（６）は、収納部（３）の上部に設けられ、空調ユニット（２）の排熱口（２２）からの排熱を吸引してトイレルーム（１）の外へ流すことができるように位置している。図２では、排熱口（２２）のほぼ真上に位置して設けられている。排熱口（２２）が換気扇（６）の通風孔の下方に位置するように空調ユニット（２）内機構を構成してもよい。
【００２７】
これにより、換気扇（６）は、収納部（３）上部に設けられているのでトイレルーム（１）の上部に位置していることになり、トイレルーム（１）内換気を効率良く行え、通常の換気扇（６）としての使用においても何等支障がなく、そしてそれとともに、空調ユニット（２）の効果的な排熱も可能となっている。したがって、換気扇（６）のみで換気および排熱ができ、別途の排熱用ファン及びそれに付随する部品を設ける必要がなく、部品点数を削減して小型化且つ低コスト化を実現できるのである。
【００２８】
換気効果についてさらに説明すると、たとえば、男子小用など臭気の拡散が少ない場合には、立ち使用時なので、空調ユニット（２）は収納状態のままであるが、換気扇（６）は空調ユニット（２）を介して、より具体的には空調ユニット（２）に設けられた吸気口（２６）（図２参照）などを介して十分に排臭を行うことができ（図１（ａ）参照）、大便時など臭気が多く拡散する場合には、座り使用時なので、空調ユニット（２）が収納部（３）から引き出された状態にあり、空気抵抗なしに効率良く排臭を行うことができる。なお、男子小用時には換気機能は停止させてもよい。
【００２９】
ここで、図２の空調ユニット（２）では、上記排熱口（２２）の下方に熱交換部（２３）が設けられ、熱交換部（２３）の前方に送風ファン（２４）が設けられ、その前下方に蓄冷部（２５）、そしてルーバー（２１１）付き送風口（２１）が設けられた内部構成となっている。蓄冷部（２５）の後方には吸気口（２６）も設けられている。
【００３０】
このような内部構成を有する空調ユニット（２）は蓄冷式のものである。蓄冷式では、空調を行わない不使用時に蓄冷を行い、このときに熱が発生する。不使用時の空調ユニット（２）は通常収納部（３）へ収納された状態にある。したがって、収納状態の空調ユニット（２）にて蓄冷時に発生する熱は、上述した換気扇（６）により屋外に排出されるのである。
【００３１】
蓄冷式の空調ユニット（２）についてさらに説明しておくと、たとえば図３は内部構成の一具体例を概略例示しており、まず、不使用時においては、蓄冷部に相当する蓄冷ユニット（２０１）内の蓄冷材に対し、冷却手段としてのアキュムレータ（２０２）およびコンプレッサ（２０３）によって熱エネルギーを充填し、蓄冷が行われる（図中「蓄冷動作○」）。このとき発生する熱は放熱器（２０４）から放熱され（図中「排熱ファン○」）、たとえば上記図２における排熱口（２２）から換気扇（６）を介してトイレルーム（１）外へ排熱される。一方、使用時においては、蓄冷ユニット（２０１）を介して送風ファン（２０５）（冷風ファンとも呼ぶ）のみを動作させることで（図中「冷風ファン○」）、すぐ冷風を得ることができ、立ち上がり即効性に優れ、動作音も抑制された冷房が行われる。この冷房はトイレルーム（１）内のスポット的使用に対して特に効果的である。図中（２０６）はキャピラリである。
【００３２】
もちろん、蓄熱式の空調ユニット（２）であっても、図２中の蓄冷部（２５）が蓄熱部となったり、図３中の蓄冷ユニット（２０１）が蓄熱ユニットになったりするだけで、蓄冷式と同様に、換気扇（６）による効果的な換気且つ排熱が可能であり、良好なスポット的な暖房空調が実現される。また蓄冷熱式による冷暖房空調においても同様であることは言うまでもない。
【００３３】
この出願の発明は以上の実施形態に限定されるものではなく、細部については様々な態様が可能である。
【産業上の利用可能性】
【００３４】
以上詳しく説明した通り、この出願の発明によって、トイレ使用時に立った状態でも座った状態でも出力を極力一定にして、エネルギー費をより効果的に抑えることのできるトイレ内空調装置が提供される。
【図面の簡単な説明】
【００３５】
【図１】この出願の発明の一実施形態を説明するための図であり、（ａ）は座り使用時、（ｂ）は立ち使用時である。
【図２】換気扇について説明するための図である。
【図３】蓄冷式空調ユニットの内部構成の一具体例について説明するための図である。
【図４】従来のスポット式空調装置による空調について説明するための図であり、（ａ）は座り使用時、（ｂ）は立ち使用時である。
【符号の説明】
【００３６】
１  トイレルーム
１１  天井
１２  壁
２  空調ユニット
２１  送風口
２１１  ルーバー
２２  排熱口
２３  熱交換部
２４  送風ファン
２５  蓄冷部
２６  吸気口
２０１  蓄冷ユニット
２０２  アキュムレータ
２０３  コンプレッサ
２０４  放熱器
２０５  送風ファン
２０６  キャピラリ
３  収納部
４  トイレ使用者
５  トイレ
６  換気扇
【図１】
2005180832.tif 000003
【図２】
2005180832.tif 000004
【図３】
2005180832.tif 000005
【図４】
2005180832.tif 000006